(57)【要約】【課題】  浮きの空気調節をもって負荷調節が行なえ、浮きの位置調節に係る構成が簡素で安価に製作できる水中筋力訓練機を提供することである。【解決手段】  プール（３）内に設けられる支持枠（４）と、支持枠（４）をプール縁（５）へ止める係止具（６）と、支持枠（４）に昇降可能に取着される昇降枠（７）と、昇降枠（７）に取着され水面に浮く浮き（２）と、昇降枠（７）に取着される足押板（８）とからなり、支持枠（４）に支持された患者が下肢伸展動作で足押板（８）と共に浮き（２）を下方に移動させると、浮き（２）の浮力が前記下肢伸展動作の負荷となる水中筋力訓練機である。【選択図】      図１
2007313211.tif 000002
【特許請求の範囲】
【請求項１】
プール（３）内に設けられる支持枠（４）と、支持枠（４）をプール縁（５）へ止める係止具（６）と、支持枠（４）に昇降可能に取着される昇降枠（７）と、昇降枠（７）に取着され水面に浮く浮き（２）と、昇降枠（７）に取着される足押板（８）とからなり、
支持枠（４）に支持された患者が下肢伸展動作で足押板（８）と共に浮き（２）を下方に移動させると、浮き（２）の浮力が前記下肢伸展動作の負荷となることを特徴とする水中筋力訓練機。
【請求項２】
浮き（２）内の空気量を調節することによって浮力を調節する調節器（２４）が、浮き（２）に設けられることを特徴とする請求項１記載の水中筋力訓練機。
【請求項３】
調節器（２４）は、浮き（２）の気密を図る上・下弁部（３２）（２５）と、上・下弁部（３２）（２５）を開閉する操作レバー（２６）とから構成され、
前記操作レバー（２６）の操作で、上・下弁部（３２）（２５）を開状態になし、且つ、浮き（２）を昇降調節し、浮き（２）内の空気を外部へ入出させ、収納空気量を調節することを特徴とする請求項２記載の水中筋力訓練機。
【請求項４】
操作レバー（２６）は、浮き（２）の上・下弁部（３２）（２５）を開閉する開閉操作と、浮き（２）を取付枠（２０）の適宜位置に固定する固定操作とをなすものであることを特徴とする請求項３記載の水中水中筋力訓練機。
【発明の詳細な説明】
【技術分野】
【０００１】
本発明は、リハビリを受ける者（以下患者という）が下肢の各筋のパワーアップを図る水中に設けた水中筋力訓練機に関する。
【背景技術】
【０００２】
従来装置は、フロート、運動負荷を与えるための機構、利用者支持部、フレーム構造、等を備えたものにおいて、柱部、支持・係合アーム、壁面当接部を有する水中エクササイズが開示されている。
【０００３】
前記従来装置では、プール等への取り付け及び取り外しが容易であり、効果的なエクササイズを行なうことができる。
【０００４】
しかし、前記従来装置は、負荷調節を複数のフロートの数を調節することによって行なっていた為、フロートを複数個準備しなければならずコストアップとなる。
又、訓練の開始に際してフロートの位置を決めるが、その位置を決める構成が開示されていない。
【特許文献１】登実３０８４４７９号公報
【発明の開示】
【発明が解決しようとする課題】
【０００５】
解決しようとする課題は、浮きの空気調節をもって負荷調節が行なえ、又、浮きの位置調節に係る構成が簡素で安価に製作できる水中筋力訓練機を提供することである。
【課題を解決するための手段】
【０００６】
本発明の目的は、浮きの空気調節をもって負荷調節が行なえ、又、浮きの位置調節に係る構成が簡素で安価に製作できる水中筋力訓練機を提供することである。
即ち、本発明は、プール（３）内に設けられる支持枠（４）と、支持枠（４）をプール縁（５）へ止める係止具（６）と、支持枠（４）に昇降可能に取着される昇降枠（７）と、昇降枠（７）に取着され水面に浮く浮き（２）と、昇降枠（７）に取着される足押板（８）とからなり、支持枠（４）に支持された患者が下肢伸展動作で足押板（８）と共に浮き（２）を下方に移動させると、浮き（２）の浮力が前記下肢伸展動作の負荷となることを特徴とする水中筋力訓練機である。
又、浮き（２）内の空気量を調節することによって浮力を調節する調節器（２４）が、浮き（２）に設けられる。
更に、調節器（２４）は、浮き（２）の気密を図る上・下弁部（３２）（２５）と、上・下弁部（３２）（２５）を開閉する操作レバー（２６）とから構成され、前記操作レバー（２６）の操作で、上・下弁部（３２）（２５）を開状態になし、且つ、浮き（２）を昇降調節し、浮き（２）内の空気を外部へ入出させ、収納空気量を調節する。
更に又、操作レバー（２６）は、浮き（２）の上・下弁部（３２）（２５）を開閉する開閉操作と、浮き（２）を取付枠（２０）の適宜位置に固定する固定操作とをなすものである。
【発明の効果】
【０００７】
本発明は、プール３内に設けられる支持枠４と、支持枠４をプール縁５へ止める係止具６と、支持枠４に昇降可能に取着される昇降枠７と、昇降枠７に取着され水面に浮く浮き２と、昇降枠７に取着される足押板８とからなり、支持枠４に支持された患者が下肢伸展動作で足押板８と共に浮き２を下方に移動させると、浮き２の浮力が前記下肢伸展動作の負荷となるから、日常動作に近い立位で、水中で、レッグプレスを行なうので、効果的な訓練ができ、好都合である。
温水中で行なえば、下肢の関節の動きが円滑であり、心身共にリラックス状態で訓練でき、好都合である。
【０００８】
本発明は、浮き２内の空気量を調節することによって浮力を調節する調節器２４が、浮き２に設けられるから、調節器２４の操作で、浮力を調節する操作が簡単に行なえ、従来技術における浮き２の数量を選択する操作、及び、浮き２を昇降枠７の適宜位置へ掛止する操作等が不要となり、好都合である。
【０００９】
本発明に係る調節器２４は、浮き２の気密を図る上・下弁部３２・２５と、上・下弁部３２・２５を開閉する操作レバー２６とから構成され、前記操作レバー２６の操作で、上・下弁部３２・２５を開状態になし、且つ、浮き２を昇降調節し、浮き２内の空気を外部へ入出させ、収納空気量を調節するものであるから、負荷調節が、操作レバー２６を下げ又は下げるだけの簡単な操作で行なえ、好都合である。
【００１０】
本発明に係る操作レバー２６は、浮き２の上・下弁部３２・２５を開閉する開閉操作と、浮き２を取付枠２０の適宜位置に固定する固定操作とをなすから、１つの操作レバー２６の操作で、浮き２の空気の通路２８閉め操作と、浮き２の昇降枠７への固定操作の２つの操作が、簡単に行なえ、手数が省け、好都合である。
【発明を実施するための最良の形態】
【００１１】
浮き２の空気調節で負荷調節を行なえ、浮き２の位置調節で初期位置の設定もできる簡素で構成で安価に製作できるものを、プール３内に設けられる支持枠４と、支持枠４をプール縁５へ止める係止具６と、支持枠４に昇降可能に取着される昇降枠７と、昇降枠７に取着される浮き２と、昇降枠７に取着される足押板８とからなり、支持枠４に支持された患者は下肢の伸展動作で足押板８と共に浮き２を下方に移動させると、浮き２の浮力が前記移動の負荷となる水中水中筋力訓練機で、実現した。
【実施例１】
【００１２】
図１〜６に本発明の実施例１の水中筋力訓練機１を示す。
図１、２は実施例１の左側面図、図３は実施例１の正面図、図４は実施例１の平面図、図５、６は実施例１に係る浮き２を示す部分図である。
【００１３】
実施例１の水中筋力訓練機１を用いて、患者は、胸から下の身体を水中に浸けた立位で、屈曲した膝関節を伸展して浮き２を沈め、下肢の筋力訓練を行なう。
即ち、プール３内に在って患者を支持する支持枠４と、支持枠４をプール縁５へ止める係止具６と、支持枠４に昇降可能に取着される昇降枠７と、昇降枠７に取着される浮き２と、昇降枠７に取着される足押板８とからなる。
患者は下肢の伸展動作で足押板８を下方に移動させる。
移動に伴ない浮き２が水中に沈み、浮き２の浮力が前記移動の負荷となる。
【００１４】
係止具６は、横アーム９と、横アーム９をプール縁５に固定する固定具１０とからなる。
【００１５】
支持枠４の後部には、前記係止具６と、プール壁３５に当接される当て具３９とが取着され、係止具６で支持枠４はプール壁３５に取り付けられる。
支持枠４の前部には、背当て１１と、肩当て１２と、肩当て１２の先に設けられる握具１３と、枕１４とが取着される。
支持枠４の左・右側板１５ａ・１５ｂのそれぞれ前部には、２個の上ローラー１６と２個の下ローラー１７が取着される。
肩当て１２は高さ調節できるものであり、止め具３８で止められる。
【００１６】
昇降枠７は、支持枠４の囲いの中に昇降可能に設けられており、摺動枠１８と、上枠１９と、取付枠２０と、下枠２１とからなる。
摺動枠１８は、その上部は前記２個の上ローラー１６の間に挟まれ、その下部は前記２個の下ローラー１７の間に挟まれ、これらの上・下ローラー１６・１７で昇降可能に支持される。
【００１７】
浮き２（具体例では、左浮き２ａと右浮き２ｂとでなる）は、取付枠２０に貫通されたうえ移動固定可能に取着される。
浮き２は、取着部２２と、タンク２３と、取着部２２とタンク２３とにわたって形成される調節器２４と、タンク２３を上方に付勢するバネ３１とからなる。
浮き２には、取付枠２０と共に水中に沈められると、浮力が働く。
浮き２は、足押板８を患者が押し下げた時、足押板８を押し上げるように働く。
【００１８】
取着部２２は連結辺３６で連結される上・下取着部２２ａ・２２ｂからなり、タンク２３は上・下取着部２２ａ・２２ｂの間に昇降可能に設けられる。上取着部２２ａには取り付け枠２０に密着固定可能なテーパ部３４が形成される。
【００１９】
タンク２３は空気及び水を収容するものであり、該タンク２３の上部には下弁部２５が設けられる。下弁部２５には前記テーパ部３４に外嵌可能な嵌り穴３３が形成される。
【００２０】
調節器２４は、浮き２の浮力を調節するものであり、浮き２の上部の気密を図り又は気密を解除するものである。
調節器２４は、上弁部３２と、操作レバー２６と、前記下弁部２５と、下弁部２５に設けられるシール部材２７と、上弁部３２と下弁部２５との間に生じる通路２８とからなる。
調節器２４は、浮き２の上部の気密を解除しておいて、手動で浮き２を昇降させ、浮力の大きさを調節するものである。浮き２を持ち上げると、浮き２は吸気し、浮力は増大する。浮き２を押し下げると、浮き２は排気し、浮力は減少する。
【００２１】
操作レバー２６は、その中部が軸３０で上弁部３２に軸支され、その先部には梃子部３１が形成される。
操作レバー２６はその操作によって、上・下弁部３２・２５を開状態になするものである。更に、浮き２を昇降調節し、浮き２内の空気を外部へ入出させ、収納空気量を調節するものである。
操作レバー２６は、浮き２の上・下弁部３２・２５を接合又は離間させ、上・下弁部３２・２５の弁作用を作動させる開閉操作をなすものである。
更に、テーパ部３４に嵌り穴３３を外嵌させて、浮き２を取付枠２０の適宜位置に固定する固定操作をなすものである。
【００２２】
足押板８（具体例では、左足押板８ａと右足押板８ｂとでなる）は、患者が足を当接するものであり、訓練中に、患者が屈曲した膝を伸展して押し下げるものである。
左足押板８ａと右足押板８ｂは、別々に独立して作動するものである。
【００２３】
実施例１を使用する際には、先ず、患者を支持枠４で支持する。患者の背を背当て１１に当接し、頭を枕１４に当て、肩を肩当て１２に当てる。足を足押板８に当接する。膝を屈曲した立位を取り、訓練準備をする。
【００２４】
浮き２の空気量を所定の量に調節すると共に、浮き２を取付枠２０に固定し、初期状態を作る。浮力が下肢の訓練動作に係る負荷となる。
空気量が訓練中の浮力の大きさに比例し、この浮力の大きさは負荷の大きさである。
【００２５】
空気量を調節する際は、操作レバー２６で上弁部３２と下弁部２５とでなる弁を開操作する。
操作レバー２６を、握って、上げ又は下げる。この上げ又は下げ操作により、操作レバー２６が下弁部２５及びタンク２３を押し下げる。
タンク２３が下がると、上弁部３２と下弁部２５の密着が離れ、上弁部３２と下弁部２５との間に通路２８が生じ、タンク２３が外部と連通する。
上記連通状態下では、前記通路２８及び開口穴２９から浮き２の中の空気が排出され、又は、外気が流入可能となる。
【００２６】
操作レバー２６を持ち上げ又は下げると、テーパ部３４から嵌り穴３３が抜け、取付枠２０とテーパ部３４の固定が解除される。
【００２７】
調節器２４で、浮き２の気密を解除し、手動で浮き２を昇降させ、浮き２内の空気量を調節し、浮力を調節する。
操作レバー２６を握り下げた前記解除状態で、浮き２を下降させると、水が、浮き２の下部の給排水口３７から進入し、浮き２内の空気が排出され減る。
この浮き２を水中に浸入させると、浮き２内の空気は少なく、浮力は小さく、昇降枠７の下降に掛かる負荷は小さい。
【００２８】
操作レバー２６を握り上げた前記解除状態で、浮き２を上昇させると、浮き２内の水が給排水口３７から流出する。水に代わって浮き２内に、外気が吸気され空気が増える。
この浮き２を水中に浸入させると、浮き２内の空気が多く、浮力は大きく、昇降枠の下降に掛かる負荷は大きい。
【００２９】
空気量の調節が完了したら、操作レバー２６で、上弁部３２と下弁部２５とでなる弁を閉操作すると同時に、浮き２を取付枠２０の適宜位置に固定する固定操作をなす。
即ち、操作レバー２６を放し水平位置に戻すと、バネ３１の復原力でタンク２３が上昇し、嵌り穴３３がテーパ部３４に外嵌し、テーパ部３４が取付枠２０に圧接し固定される。同時に、タンク２３が上がると、上弁部３２と下弁部２５が密着し、上弁部３２と下弁部２５との間に通路２８が消失し、タンク２３の上部が密閉する。
取着部２２が調節した適宜位置に固定されると、この取着部２２により、浮き２が取付枠２０の適宜位置に固定される。
上記浮き２の昇降操作で浮き２内の空気量を増減調節し、この空気量の調節をもって患者に与える負荷を調節する。
【００３０】
次に、患者は膝を伸展し足押板８を押し下げ、往運動する。昇降枠７及び取付枠２０が下降すると共に浮き２が水中に進入する。
浮き２が浮力を発生する。浮力が、足押板８を介して、患者の伸展動作に負荷を掛ける。
【００３１】
続いて、患者は膝に力を抜く。浮力により足押板８が上昇する。足押板８の上昇にまかせて膝を屈曲し、複運動する。
患者は前記往復運動を所定時間又は所定回数繰り返し行なう。
患者は、左足の訓練と、右足の訓練とを、同時に又は別々に、実施できる。
又、他の構成として、左・右足押板８ａ・８ｂを適宜な連結具（図示省略）で連結して、左足と右足とを同期させて訓練してもよい。
所定の訓練を行なった後に、患者は、下肢の力を抜き、肩当て１２、背当て１１等から離れ、訓練を終了する。
【産業上の利用可能性】
【００３２】
プール３内に設けられる支持枠４と、支持枠４をプール縁５へ止める係止具６と、支持枠４に昇降可能に取着される昇降枠７と、昇降枠７に取着され水面に浮く浮き２と、昇降枠７に取着される足押板８とからなり、支持枠４に支持された患者が下肢伸展動作で足押板８と共に浮き２を下方に移動させると、浮き２の浮力が前記下肢伸展動作の負荷となるものとし、浮き２の空気調節で負荷調節が行なえ、浮き２の位置調節で初期位置の設定もでき簡素な構成で安価に製作できる水中筋力訓練機に適用できる。
【図面の簡単な説明】
【００３３】
【図１】本発明の実施例１の右側面図である。
【図２】本発明の実施例１の右側面図である。
【図３】本発明の実施例１の正面図である。
【図４】本発明の実施例１の平面図である。
【図５】本発明の実施例１に係る浮きの部分図である。
【図６】本発明の実施例１に係る浮きの部分図である。
【符号の説明】
【００３４】
１  水中筋力訓練機
２  浮き
３  プール
４  支持枠
５  プール縁
６  係止具
７  昇降枠
８  足押板
２０  取付枠
２４  調節器
２５  下弁部
２６  操作レバー
３２  上弁部
【図１】
2007313211.tif 000003
【図２】
2007313211.tif 000004
【図３】
2007313211.tif 000005
【図４】
2007313211.tif 000006
【図５】
2007313211.tif 000007
【図６】
2007313211.tif 000008